(57)【要約】【課題】開閉器を操作する際の確認文を開閉器操作手順に組み込んだ開閉器操作確認手順を作成できる開閉器操作確認手順作成方法を提供することである。【解決手段】電気設備の各々の開閉器の操作につき確認文が必要な開閉器に対して確認文を付加した手順ブロック雛形、開閉器の操作とは別の操作や操作状態についての確認文を有した確認文ブロック雛形とを予め用意しておき、電気設備の運用作業の開閉器操作手順が入力されると、操作対象となる開閉器について確認文が必要な開閉器に対しては確認文付の手順ブロックを作成する。一方、開閉器の操作に対する確認文とは別に電気設備の運用作業を行う際に必要となる確認文を開閉器操作手順及び確認文ブロック雛形に基づいて作成し、手順ブロックに確認文ブロックを付加しながら開閉器操作手順に基づいて整列して開閉器操作確認手順を作成する。【選択図】図１
2009065775.tif 000002
【特許請求の範囲】
【請求項１】
電気設備の運用作業を行う際の前記電気設備の各々の開閉器の操作につき確認文が必要な開閉器に対しては確認文を付加した手順ブロック雛形及び開閉器の操作とは別の操作や操作状態についての確認文を有した確認文ブロック雛形を予め用意しておくステップと、
前記電気設備の運用作業の開閉器操作手順を入力するステップと、
入力された開閉器操作手順で操作対象となる開閉器について確認文が必要な開閉器に対しては前記手順ブロック雛形に基づいて確認文付の手順ブロックを作成するとともに確認文を必要としない開閉器に対しては手順ブロックを作成するステップと、
前記開閉器の操作に対する確認文とは別に電気設備の運用作業を行う際に必要となる確認文を前記開閉器操作手順及び確認文ブロック雛形に基づいて作成するステップと、
前記手順ブロックに前記確認文ブロックを付加しながら前記開閉器操作手順に基づいて整列して開閉器操作確認手順を作成するステップとを備えたことを特徴とする開閉器操作確認手順作成方法。
【請求項２】
確認文が必要な開閉器か否かは、開閉器の操作種別、機器種別、電圧階級に基づいて定めることを特徴とする請求項１記載の開閉器操作確認手順作成方法。
【発明の詳細な説明】
【技術分野】
【０００１】
本発明は、電気設備の停止、復旧、線路停止、送電等の運用作業を行う際に必要となる開閉器操作や確認内容を記述した開閉器操作確認手順を作成する開閉器操作確認手順作成方法に関する。
【背景技術】
【０００２】
電力系統の電気設備においては、系統運用を司る給電所からの操作指令に応じて、特定の電気設備の停止、復旧、線路停止、送電等の運用作業を行っている。電気設備の運用作業は、変電所や開閉所などの電気所に設置される開閉器を操作して行われる。すなわち、電気所の当該電気設備を担当する運転員が予め操作手順表を作成し、その操作手順表に従って開閉器の機器操作が実行されている。
【０００３】
図２１は、電気設備の運用作業の対象となる配電用変電所の単線結線図である。この配電用変電所は、上位系統（例えば、１５４ｋＶ）の２回線の送電線１Ｌ、２Ｌを引き込み、常時１回線の送電線１Ｌで受電し、３台の変圧器１Ｂ、２Ｂ、３Ｂ（２次電圧が６ｋＶ級）の３バンク構成の場合を示している。すなわち、送電線１Ｌの受電断路器１、受電遮断器Ｏ１が閉じており、受電連絡線１１の断路器Ｔ１０、Ｔ２０が閉じて、送電線１Ｌから３台の変圧器１Ｂ、２Ｂ、３Ｂに電力が供給されている。
【０００４】
３台の変圧器１Ｂ、２Ｂ、３Ｂのそれぞれの負荷母線１２−１、１２−２、１２−３には、負荷開閉器Ｌ３０１、Ｌ４０１、Ｌ５０１及び断路器Ｗ３０１、Ｗ４０１、Ｗ５０１が設けられ、負荷母線１２−１には配電線１３−１ａ、１３−１ｂ、負荷母線１２−２には配電線１３−２ａ、１３−２ｂ、負荷母線１２−３には配電線１３−３ａ、１３−３ｂがそれぞれ接続されている。そして、負荷開閉器Ｌ３０１、Ｌ４０１、Ｌ５０１及び断路器Ｗ３０１、Ｗ４０１、Ｗ５０１が閉じて、各々の配電線１３−１ａ〜１３−３ｂの電力を供給している。
【０００５】
配電線１３−１ａ、１３−１ｂには配電断路器Ｗ３１１、Ｗ３１２及び配電遮断器Ｏ３１１、Ｏ３１２、配電線１３−２ａ、１３−２ｂには配電断路器Ｗ４１１、Ｗ４１２及び配電遮断器Ｏ４１１、Ｏ４１２、配電線１３−３ａ、１３−３ｂには配電断路器Ｗ５１１、Ｗ５１２及び配電遮断器Ｏ５１１、Ｏ５１２がそれぞれ接続され、これらの配電断路器Ｗ３１１〜Ｗ５１２及び配電遮断器Ｏ３１１〜Ｏ５１２が閉じて配電線１３−１ａ〜配電線１３−３ｂの負荷に電力を供給している。
【０００６】
また、母線連絡線１４が設けられ、負荷母線１２−１には負荷開閉器Ｌ３５０及び断路器Ｗ３５０、負荷母線１２−２には負荷開閉器Ｌ４５０及び断路器Ｗ４５０、負荷母線１２−３には負荷開閉器Ｌ５５０及び断路器Ｗ５５０を介して接続されている。通常時においては、送電線１Ｌから受電しているので、送電線２Ｌの受電断路器２、受電遮断器Ｏ２は開いており、母線連絡線１４と負荷母線１２−１、１２−２、１２−３との間の遮断器Ｌ３５０、Ｌ４５０、Ｌ５５０は開いている。
【０００７】
このような配電用変電所において、変圧器１Ｂを停止させる運用作業を行う場合を考える。この場合、負荷母線１２−１、１２−２、１２−３への電力の供給を停止することなく、開閉器操作を行い変圧器１Ｂを停止させることになる。つまり、母線連絡線１４を活かし送電線１Ｌからの受電を送電線２Ｌからの受電に切り換え、変圧器１Ｂを送電線１Ｌ、負荷母線１２−１、受電連絡線１１から切り離す。
【０００８】
図２２は、負荷母線１２−１、１２−２、１２−３への電力の供給を停止することなく変圧器１Ｂを停止させる運用作業の開閉器の操作確認手順の説明図である。図２２中、（１）、（３）、（４）、（５）、（８）、（９）、（１０）、（１２）、（１３）、（１６）、（１８）、（２０）、（２１）、（２３）、（２７）、（２９）は、確認文であり、（２）、（６）、（７）、（１１）、（１４）、（１５）、（１７）、（１９）、（２２）、（２４）、（２５）、（２６）、（２８）、（３０）、（３１）は開閉器操作手順である。
【０００９】
通常、開閉器の操作確認手順のうち開閉器操作手順書は、コンピュータシステムにより自動作成することが行われており、デシジョンテーブル方式を採用したものがある。このデシジョンテーブル方式は、電気所毎にその設備状況や設備条件において作成されるべく、その設備条件を反映した開閉器操作手順を予めテーブルに上に登録しておき、登録された内容をその都度引用して操作手順を作成するものである。
【００１０】
図２３はデシジョンテーブル方式で開閉器操作手順を作成する作成手順の説明図である。デシジョンテーブルは、「ＴＩＴＬＥ」に示される作業設備及び内容毎にテーブルが用意され、各テーブルは、条件文や処理文から構成される。各テーブルでは、条件文に対するＹ／Ｎに合う列を選び当該列に記述されている順番通りに処理文の内容を処理する。条件文は、主に変電所内系統構成による条件である。処理文は、主にテーブル間の移動や開閉器操作やリレー操作の内容である。
【００１１】
例えば、変圧器作業停止という「ＴＩＴＬＥ」のテーブルには複数の処理文１〜ｎが記述されており、処理文１から処理実行をしていく。処理文１の内容はテーブル１−１（１）に記述されているので、テーブル１−１（１）に処理が移り、条件文１及び条件文２のＹ／Ｎに合う列が選択される。いま、対象となる変圧器が「変圧器２時の隣接設備に主母線有」を満たすとすると、その条件文１がＹとなるので、テーブル１−１（１）の処理文１が選択される。
【００１２】
次に、テーブル１−１（１）の処理文１からテーブル１−１（２）が選択され、対象となる変圧器が「当該母線は単数」、「変圧器２次と当該母線との経路上に開閉器有」、「条件２の開閉器は全て閉」の条件を満たすものであるとすると、テーブル１−１（２）の処理文１が選択される。
【００１３】
そして、テーブル１−１（２）の処理文１からテーブル１−１（４）が選択され、対象となる変圧器が「当該母線の担当ＶＱ装置有」の条件を満たさないものであるとすると、テーブル１−１（４）の処理文５が選択される。
【００１４】
テーブル１−１（４）の処理文５からテーブル１−２（１）が選択され、対象となる変圧器が「指定変圧器にＬＲ基準／従属ポジション有」、「指定変圧器にＬＲ単独／並列ポジション有」、「条件２のＬＲ単独／並列ポジションは単独」、「指定変圧器に４３−ＮＴ有」の条件を満たすものであるとすると、テーブル１−２（１）の処理文１が選択される。これにより、操作の手順１として「４３−ＮＴ並列」が選択される。操作の一つの手順が得られると、次に、「ＴＩＴＬＥ」変圧器作業停止のテーブルの次の処理文２に処理が移り、以下同様に操作の手順２〜手順ｎが順次作成される。
【００１５】
図２４はデシジョンテーブル方式で得られた開閉器操作手順に確認文を追加して開閉器操作確認手順を作成する説明図である。デシジョンテーブル方式で得られた開閉器操作手順１５は、図２２に示した開閉器操作確認手順のうちの開閉器操作確認手順（２）、（６）、（７）、（１１）、（１４）、（１５）、（１７）、（１９）、（２２）、（２４）、（２５）、（２６）、（２８）、（３０）、（３１）である。そこで、この開閉器操作手順１５に対し、図２２に示した開閉器操作確認手順のうちの確認文（１）、（３）、（４）、（５）、（８）、（９）、（１０）、（１２）、（１３）、（１６）、（１８）、（２０）、（２１）、（２３）、（２７）、（２９）を運用者による手入力で付加して、最終的に図２２に示した開閉器操作確認手順を作成するようにしている。
【００１６】
ここで、デシジョンテーブル方式で開閉器操作手順を作成するにあたり、開閉器の開閉の際に守るべき電力流通設備固有の条件を設定するステップと、開閉器の開閉の順番を前記設定された固有の条件を考慮して決定するステップとを追加して、通常の電力流通設備は勿論、固有の条件設定がされている開閉器を含む設備に対しても正しい操作手順を自動生成することができるようにしたものがある（例えば、特許文献１参照）。
【特許文献１】特開２００７−３７３２９号公報
【発明の開示】
【発明が解決しようとする課題】
【００１７】
しかし、特許文献１のものでは、固有の条件設定がされている開閉器を含む設備に対しても正しい操作手順を自動生成することができるが、各々の開閉器の操作につき必要な確認文の付加は自動生成できるものではない。すなわち、開閉器操作手順はデシジョンテーブルによって自動で作成されるが、確認文については、運用者による手入力を必要としている。これは、確認文の作成においては、運用者の知識や経験により確認事項の選択が異なり、また、地域や電気所の設備構成によっても確認事項の選択が異なるので、種々様々に作成される確認文の内容に対し、標準的に取り扱うことが難しいからである。
【００１８】
本発明の目的は、開閉器を操作する際の確認文を開閉器操作手順に組み込んだ開閉器操作確認手順を作成できる開閉器操作確認手順作成方法を提供することである。
【課題を解決するための手段】
【００１９】
請求項１の発明に係わる開閉器操作確認手順作成方法は、電気設備の運用作業を行う際の前記電気設備の各々の開閉器の操作につき確認文が必要な開閉器に対しては確認文を付加した手順ブロック雛形及び開閉器の操作とは別の操作や操作状態についての確認文を有した確認文ブロック雛形を予め用意しておくステップと、前記電気設備の運用作業の開閉器操作手順を入力するステップと、入力された開閉器操作手順で操作対象となる開閉器について確認文が必要な開閉器に対しては前記手順ブロック雛形に基づいて確認文付の手順ブロックを作成するとともに確認文を必要としない開閉器に対しては手順ブロックを作成するステップと、前記開閉器の操作に対する確認文とは別に電気設備の運用作業を行う際に必要となる確認文を前記開閉器操作手順及び確認文ブロック雛形に基づいて作成するステップと、前記手順ブロックに前記確認文ブロックを付加しながら前記開閉器操作手順に基づいて整列して開閉器操作確認手順を作成するステップとを備えたことを特徴とする。
【００２０】
請求項２の発明に係わる開閉器操作確認手順作成方法は、請求項１の発明において、確認文が必要な開閉器か否かは、開閉器の操作種別、機器種別、電圧階級、変電所タイプに基づいて定めることを特徴とする。
【発明の効果】
【００２１】
本発明によれば、開閉器の操作につき確認文が必要な開閉器に対しては確認文を付加した手順ブロック雛形を予め用意しておき、手順ブロック雛形に基づいて確認文付の手順ブロックを作成するので、開閉器操作手順の客観的な内容から確認文が作成される。また、開閉器の操作とは別の操作や操作状態についての確認文を有した確認文ブロック雛形を予め用意しておくので、操作手順全体の情報から得られる情報をもとに必要な確認文を付加できる。従って、運用者や運用箇所による確認文の差異は解消される。また、自動付加する確認文を予め定義できるため、電気所の機器操作業務の安全管理を統一的に行うことができるとともに、確認文の手入力作業の省力化を図ることができる。
【発明を実施するための最良の形態】
【００２２】
図１は本発明の実施の形態に係わる開閉器操作確認手順作成方法のステップを示すフローチャートである。本発明の実施の形態に係わる開閉器操作確認手順作成方法は、コンピュータの処理によって実現される。
【００２３】
まず、手順ブロック雛形及び確認文ブロック雛形を予め用意し（Ｓ１）、コンピュータの記憶装置に記憶しておく。手順ブロック雛形は、電気設備の運用作業を行う際の電気設備の各々の開閉器の操作につき、確認文が必要な開閉器に対しては確認文を付加した手順ブロックの雛形である。また、確認文ブロック雛形は、開閉器の操作とは別の操作や操作状態についての確認文を有した確認文ブロックの雛形である。
【００２４】
図２乃至図７は、図２１における配電用変電所に適用される手順ブロック雛形の説明図であり、図８乃至図１７は、図２１における配電用変電所に適用される確認文ブロック雛形の説明図である。
【００２５】
図２は開閉器が操作種別としてループ投入される場合の手順ブロック雛形の一例を示した説明図であり、開閉器がループ投入される場合には電圧階級として上位ループ（例えば、１５４ｋＶ）と６ｋＶループとに分別され、６ｋＶループはユニット・ＣＢ（遮断器）有りと並列母線の場合とに分別されて、手順ブロック雛形が設けられている。そして、分別された手順ブロック雛形には当該開閉器に対して必要な確認文が予め付加されている。
【００２６】
以下同様に、図３には開閉器が操作種別としてループ開放される場合の手順ブロック雛形の一例を示し、図４には開閉器が操作種別として非ループ投入される場合の手順ブロック雛形の一例を示し、図５には開閉器が操作種別として非ループ開放される場合の手順ブロック雛形の一例を示し、図６には開閉器が現地投入される場合の手順ブロック雛形の一例を示し、図７には開閉器が現地開放される場合の手順ブロック雛形の一例を示している。
【００２７】
このように、手順ブロック雛形は、開閉器を操作種別、機器種別、電圧階級、変電所タイプに分別して作成し、確認文が必要な開閉器に対しては確認文を付加するようにしている。また、図４に示すように、６ｋＶの開閉器を入れる場合、上位（ユニット）の開閉器を入れる場合、図５の６ｋＶの開閉器を開く場合、上位（ユニット・並列母線）や上位（ＣＢ有り・バンク）の開閉器を開く場合には確認文を必要としないので確認文の付加のない手順ブロック雛形となっている。
【００２８】
次に、図８は開閉器の操作とは別の操作や操作状態である遠制ロック操作についての確認文を有した確認文ブロックの雛形である。この確認文ブロック雛形には、断路器制御回路の切換接触器４３−ＬＳがロック状態であるか否かの確認文が用意されている。
【００２９】
以下同様に、図９には現地ロック操作についての確認文ブロック雛形の一例を示し、図１０には遠制ロック解除についての確認文ブロック雛形の一例を示し、図１１には現地ロック解除についての確認文ブロック雛形の一例を示し、図１２にはループ電圧調整（設定）についての確認文ブロック雛形の一例を示し、図１３にはループ電圧調整（解除）についての確認文ブロック雛形の一例を示し、図１４には片寄せバンク容量チェックについての確認文ブロック雛形の一例を示し、図１５にはループ投入前電流値保存についての確認文ブロック雛形の一例を示し、図１６にはバンク併用状態チェックについての確認文ブロック雛形の一例を示し、図１７には負荷移行完了チェックについての確認文ブロック雛形の一例を示している。このように、確認文ブロック雛形は、開閉器の操作とは別の操作や操作状態についての確認文を有した確認文ブロックの雛形である。
【００３０】
次に、図２１に示す配電用変電所において変圧器１Ｂを停止させる運用作業を行う場合には、その運用作業の開閉器操作手順を入力する（Ｓ２）。運用作業の開閉器操作手順は入力装置からコンピュータに入力される。コンピュータの演算装置は、入力された開閉器操作手順及び予め用意された手順ブロック雛形に基づいて手順ブロックを作成する（Ｓ３）。
【００３１】
図１８は手順ブロックの作成処理の説明図である。図２１に示す配電用変電所の変圧器１Ｂを停止させる運用作業を行う場合には、図１８に示すように、開閉器操作手順１５としては、負荷開閉器Ｌ５５０を入れ、負荷開閉器Ｌ３５０を入れ、負荷開閉器Ｌ３０１を開き、断路器２を入れ、遮断器Ｏ２を入れ、遮断器Ｏ１を開き、遮断器１を開き、断路器Ｔ１０を開き、断路器Ｗ３０１開く操作となる。
【００３２】
負荷開閉器Ｌ５５０は６ｋＶの負荷開閉器であり投入しても非ループであるから、非ループの開閉器に相当する。従って、図４の６ｋＶの手順ブロック雛形が選択され、確認文の付加のない手順ブロックが作成される。次に、負荷開閉器Ｌ３５０は６ｋＶの負荷開閉器であり投入するとループが形成されるから、ループの開閉器に相当する。
【００３３】
従って、図２の６ｋＶループ（ユニット・ＣＢ有り）の手順ブロック雛形が選択され、停止バンク及び融通バンクの電流確認の確認文が付加された手順ブロックが作成される。また、遮断器Ｌ３０１は６ｋＶの遮断器でありループが形成されているので、遮断器Ｌ３０１を開くことはループ開放となる。従って、遮断器Ｌ３０１を開くにあたっては、図３の６ｋＶループ（ユニット・ＣＢ有り）の手順ブロック雛形が選択され、停止バンク及び融通バンクの電流確認の確認文が付加された手順ブロックが作成される。
【００３４】
以下、同様に、操作対象となった開閉器につき、開閉器の操作種別、機器種別、電圧階級、変電所タイプに基づいて手順ブロック雛形を選択し、順次、手順ブロックを作成していく。つまり、操作対象となる開閉器について、確認文を必要としない開閉器に対しては確認文のない手順ブロックを作成し、確認文が必要な開閉器に対しては手順ブロック雛形に基づいて確認文付の手順ブロックを作成していく。このようにして、手順ブロック群１６が形成される。
【００３５】
一方、コンピュータの演算装置は、開閉器の操作に対する確認文とは別に電気設備の運用作業を行う際に必要となる確認文を開閉器操作手順及び確認文ブロック雛形に基づいて作成する（Ｓ４）。
【００３６】
図１９は確認文ブロックの作成処理の説明図である。開閉器操作手順１５の内容から接続切換情報１７を抽出する。開閉器操作手順１５の内容から得られる接続切換情報１７は、変圧器１Ｂを停止させるにあたり、負荷母線１２−１の負荷に対して変圧器３Ｂから電力を供給するようにする接続切換である。つまり、停止設備は変圧器１Ｂであり、融通先バンクは変圧器３Ｂであり、変圧器３Ｂに片寄せする接続切換である。
【００３７】
この開閉器操作手順１５の内容から得られる情報から、図１４の片寄せバンク容量チェックの（ユニット・ＣＢ有り）の確認文ブロック雛形が選択され、変圧器３Ｂの２次電流と変圧器１Ｂの２次電流との和が変圧器３Ｂの定格２次電流以下であることの確認文が作成される。この場合、確認回数及び確認時間は、運用者が入力することになる。図１９では確認回数は３回、確認時間は５秒の場合を示している。
【００３８】
次に、片寄せする変圧器３Ｂの２次電圧と変圧器１Ｂの２次電圧の電圧調整の確認の必要があることから、図１２のループ電圧調整（設定）の（ＣＢ有り）の確認文ブロック雛形が選択され、４３−ＮＴ並列の確認文ブロックが作成される。以下同様に、図１５のループ投入前電流値保存の停止（ユニット・ＣＢ有り）の確認文ブロック雛形から変圧器１Ｂ、３Ｂの電流値を記憶する確認文ブロックが作成され、順次、開閉器操作手順１５の内容から得られる情報から必要な確認文ブロックが作成される。このようにして、確認文ブロック群１８が形成される。このようにして得られた手順ブロック及び確認文ブロックを開閉器操作手順１５に基づいて整列して開閉器操作確認手順を作成する（Ｓ５）。
【００３９】
図２０は開閉器操作確認手順１９の説明図である。図１８に示した手順ブロック群１６の複数の手順ブロックに図１９に示した確認文ブロック群１８の複数の確認文ブロックを付加しながら開閉器操作手順１５の内容から得られる情報に基づいて、時系列的に配列して開閉器操作確認手順１９を作成する。
【００４０】
本発明の実施の形態によれば、開閉器の操作手順の内容（操作種別・機器種別・電圧階級・変電所タイプ等）に基づき、確認文が必要な場合には、その操作手順に複数の確認文を付加した手順ブロック雛形を予め用意しておくので、開閉器の操作手順に確認文を付加した手順ブロックを自動的に作成できる。
【００４１】
また、開閉器操作の手順ブロック以外に確認文ブロックの雛形を用意するので、停止機器や停止種別（作業停止/運用停止）といった開閉器操作手順全体の情報から得られる情報をもとに確認文のみで構成される確認文ブロックを自動的に作成できる。そして、手順ブロックに確認文ブロックを付加しながら開閉器操作手順に基づいて時系列的に整列して、開閉器操作確認手順を求めるので、確認文付の開閉器操作手順を自動的に得ることができる。
【図面の簡単な説明】
【００４２】
【図１】本発明の実施の形態に係わる開閉器操作確認手順作成方法のステップを示すフローチャート。
【図２】本発明の実施の形態における開閉器が操作種別としてループ投入される場合の手順ブロック雛形の一例を示した説明図。
【図３】本発明の実施の形態における開閉器が操作種別としてループ開放される場合の手順ブロック雛形の一例を示した説明図。
【図４】本発明の実施の形態における開閉器が操作種別として非ループ投入される場合の手順ブロック雛形の一例を示した説明図。
【図５】本発明の実施の形態における開閉器が操作種別として非ループ投入される場合の手順ブロック雛形の一例を示した説明図。
【図６】本発明の実施の形態における開閉器が現地投入される場合の手順ブロック雛形の一例を示した説明図。
【図７】本発明の実施の形態における開閉器が現地開放される場合の手順ブロック雛形の一例を示した説明図。
【図８】本発明の実施の形態における遠制ロック操作についての確認文ブロック雛形の一例を示した説明図。
【図９】本発明の実施の形態における現地ロック操作についての確認文ブロック雛形の一例を示した説明図。
【図１０】本発明の実施の形態における遠制ロック解除についての確認文ブロック雛形の一例を示した説明図。
【図１１】本発明の実施の形態における現地ロック解除についての確認文ブロック雛形の一例を示した説明図。
【図１２】本発明の実施の形態におけるループ電圧調整（設定）についての確認文ブロック雛形の一例を示した説明図。
【図１３】本発明の実施の形態におけるループ電圧調整（解除）についての確認文ブロック雛形の一例を示した説明図。
【図１４】本発明の実施の形態における片寄せバンク容量チェックについての確認文ブロック雛形の一例を示した説明図。
【図１５】本発明の実施の形態におけるループ投入前電流値保存についての確認文ブロック雛形の一例を示した説明図。
【図１６】本発明の実施の形態におけるバンク併用状態チェックについての確認文ブロック雛形の一例を示した説明図。
【図１７】本発明の実施の形態における負荷移行完了チェックについての確認文ブロック雛形の一例を示した説明図。
【図１８】本発明の実施の形態における手順ブロックの作成処理の説明図。
【図１９】本発明の実施の形態における確認文ブロックの作成処理の説明図。
【図２０】本発明の実施の形態における開閉器操作確認手順の説明図。
【図２１】電気設備の運用作業の対象となる配電用変電所の単線結線図。
【図２２】電力の供給を停止することなく変圧器を停止させる運用作業における従来の開閉器の操作確認手順の説明図。
【図２３】従来のデシジョンテーブル方式で開閉器操作手順を作成する作成手順の説明図。
【図２４】従来のデシジョンテーブル方式で得られた開閉器操作手順に確認文を追加して開閉器操作確認手順を作成する説明図。
【符号の説明】
【００４３】
１１…受電連絡線、１２…負荷母線、１３…配電線、１４…母線連絡線、１５…開閉器操作手順、１６…手順ブロック群、１７…接続切換情報、１８…確認文ブロック群、１９…開閉器操作確認手順
【図１】
2009065775.tif 000003
【図２】
2009065775.tif 000004
【図３】
2009065775.tif 000005
【図４】
2009065775.tif 000006
【図５】
2009065775.tif 000007
【図６】
2009065775.tif 000008
【図７】
2009065775.tif 000009
【図８】
2009065775.tif 000010
【図９】
2009065775.tif 000011
【図１０】
2009065775.tif 000012
【図１１】
2009065775.tif 000013
【図１２】
2009065775.tif 000014
【図１３】
2009065775.tif 000015
【図１４】
2009065775.tif 000016
【図１５】
2009065775.tif 000017
【図１６】
2009065775.tif 000018
【図１７】
2009065775.tif 000019
【図１８】
2009065775.tif 000020
【図１９】
2009065775.tif 000021
【図２０】
2009065775.tif 000022
【図２１】
2009065775.tif 000023
【図２２】
2009065775.tif 000024
【図２３】
2009065775.tif 000025
【図２４】
2009065775.tif 000026